(57)【要約】【課題】発話者の発話特性等により発声に個体差が生じる場合であっても、該発声を明確に把握することができる通信装置を提供する。【解決手段】本発明に係る携帯通信装置１は、他の通信装置と通信を確立し通話を行う通信装置である。入力された音声データに対応する語彙を特定する音声解析部２２および音声認識部２３と、特定した語彙を対応する標準音声データに変換する音声合成部２４と、特定した語彙を文字データに変換するテキスト変換部２６と、変換された標準音声データまたは文字データを出力する送信制御部２５とを備える。【選択図】図１
2008164649.tif 000002
【特許請求の範囲】
【請求項１】
他の通信装置と通信を確立し通話を行う通信装置であって、
入力された音声データに対応する語彙を特定する音声データ特定手段と、
音声データ特定手段によって特定した語彙を第３者が識別可能な出力形式となるデータに変換する変換手段と、
上記変換手段によって変換されたデータを出力する出力手段とを備えることを特徴とする通信装置。
【請求項２】
上記変換手段は、第３者が識別可能な出力形式となるデータとして、音声データ特定手段によって特定した語彙を、該語彙の標準的な音韻特徴を示す音声データである標準音声データに変換することを特徴とする請求項１に記載の通信装置。
【請求項３】
上記変換手段は、第３者が識別可能な出力形式となるデータとして、音声データ特定手段によって特定した語彙を、該語彙を示す文字データに変換することを特徴とする請求項１に記載の通信装置。
【請求項４】
上記出力手段によって出力する音声データに基づく音声を再生する再生部と、
上記入力された音声データが、他の通信装置から受信した音声データであるのか、または当該通信装置にて受け付けた音声データであるのかを判定する判定手段とを備え、
上記判定手段が、上記入力された音声データが、他の通信装置から受信した音声データであると判定した場合、
上記出力手段は、上記音声データに対応する標準音声データを、上記再生部に出力することを特徴とする請求項２に記載の通信装置。
【請求項５】
上記出力手段によって出力する音声データを他の通信装置に送信する送信部をさらに備え、
上記判定手段が、上記入力された音声データが、当該通信装置にて受け付けた音声データであると判定した場合、
上記出力手段は、上記音声データに対応する標準音声データを、上記送信部に出力することを特徴とする請求項４に記載の通信装置。
【請求項６】
上記再生部により再生される音声の再生速度、または上記他の通信装置にて再生される音声の再生速度の調節指示を受け付ける受け付け部をさらに備え、
上記出力手段は、上記受け付け部により受け付けた調節指示に応じて、音声の再生速度を調節するように、出力する標準音声データの出力タイミングを制御することを特徴とする請求項５に記載の通信装置。
【請求項７】
上記変換手段によって変換された文字データを文字データ記憶装置に記録する記録手段と、
上記記録手段によって記録された文字データの読み出し指示を受け付け、該読み出し指示に応じて上記文字データ記憶装置からこの文字データを読み出す読み出し手段とを備え、
上記出力手段は、上記読み出し手段によって読み出された文字データを出力することを特徴とする請求項３に記載の通信装置。
【請求項８】
上記出力手段によって出力された文字データに基づく表示を行う表示部を備えることを特徴とする請求項３または７に記載の通信装置。
【請求項９】
上記文字データの他の通信装置への送信指示を受け付ける送信指示受け付け部と、
上記出力手段によって出力する文字データを他の通信装置に送信する送信部とをさらに備え、
上記送信指示受け付け部が、上記文字データの他の通信装置への送信指示を受け付けた場合、上記出力手段は、この文字データを上記送信部に出力することを特徴とする請求項３または７に記載の通信装置。
【請求項１０】
携帯型の通信装置であることを特徴とする請求項１〜９のいずれか１項に記載の通信装置。
【請求項１１】
他の通信装置と通信を確立し通話を行う通信装置の制御方法であって、
入力された音声データに対応する語彙を特定する第１ステップと、
音声データ特定手段によって特定した語彙を第３者が識別可能な出力形式となるデータに変換する第２ステップと、
上記第２ステップにおいて変換されたデータを出力する第３ステップとを含むことを特徴とする通信装置の制御方法。
【請求項１２】
請求項１から１０のいずれか１項に記載の通信装置を動作させる制御プログラムであって、コンピュータを上記の各手段として機能させるための通信装置の制御プログラム。
【請求項１３】
請求項１２に記載の通信装置の制御プログラムを記録したコンピュータ読み取り可能な記録媒体。
【発明の詳細な説明】
【技術分野】
【０００１】
本発明は、他の通信装置と通信を確立し通話を行う通信装置、通信装置、通信装置の制御方法、通信装置の制御プログラム、通信装置の制御プログラムを記録した記録媒体に関するものである。
【背景技術】
【０００２】
携帯電話機の普及にともない、携帯電話機を利用して他の人と通話する機会が増えている。携帯電話機を使って通話する場合、当該携帯電話機を利用している周囲の環境、該携帯電話機が有するスピーカから出力される音声の品質、送話者の発話状態等に起因して聞き取りが困難な場合がある。
【０００３】
そこで例えば、特許文献１では、周囲の騒音レベルと送話信号レベルとに応じて、送話信号レベルを補正することにより周囲騒音の影響を軽減する携帯型電話装置が開示されている。
【０００４】
すなわち、この携帯型電話装置では、送話信号レベル検出回路が、送話マイクから入力された送話信号を複数の周波数帯域に分割してそれぞれの送話信号レベルを検出する。
【０００５】
また、騒音レベル検出回路が、騒音マイクから入力された周囲騒音信号を、複数の周波数帯域に分割してそれぞれの騒音レベルを検出する。そして、制御部が、これらの送話信号レベルと騒音レベルとに応じて、各周波数帯域での送話信号を抑制する補正量を算出し、周波数特性補正回路が送話信号の周波数特性を変化させる。
【０００６】
この携帯型電話装置では、周囲騒音が大きい周波数帯域のみ抑制するので、通話音声の音質を損なうことなく騒音レベルを抑制することができる。
【特許文献１】特開平１０−３３６２８５号公報（１９９８年１２月１８日公開）
【発明の開示】
【発明が解決しようとする課題】
【０００７】
しかしながら、上記従来の構成は、送話者の発話状態に起因して受話者の聞き取りが困難となる問題を解決するものではない。すなわち、上記従来の構成は、周囲の騒音を抑制しクリアな音声をユーザーに提供する事はできる。しかしながら、例えば滑舌が悪い（発音の連続の滑らかさが悪い）、または早口など送話者自身の発声に問題がある場合、受話者に対してクリアな音声を提供する事ができない。
【０００８】
本発明は、上記の問題点に鑑みてなされたものであり、その目的は、発話者の発話特性等により発声に個体差が生じる場合であっても、該発声を明確に把握することができる通信装置、通信装置の制御方法、通信装置の制御プログラム、通信装置の制御プログラムを記録した記録媒体を実現することにある。
【課題を解決するための手段】
【０００９】
本発明に係る通信装置は、上記した課題を解決するために、他の通信装置と通信を確立し通話を行う通信装置であって、入力された音声データに対応する語彙を特定する音声データ特定手段と、音声データ特定手段によって特定した語彙を第３者が識別可能な出力形式となるデータに変換する変換手段と、上記変換手段によって変換されたデータを出力する出力手段とを備えることを特徴とする。
【００１０】
上記構成によると、音声データ特定手段により入力された音声データに対応する語彙を特定することができる。また、変換手段により、この特定した語彙を第３者が識別可能な出力形式となるデータに変換することができる。そして、出力手段によりこの変換したデータを出力することができる。
【００１１】
このように、本発明に係る通信装置は、当該通信装置に入力された音声データを第３者が識別可能な出力形式となるデータに変換し出力することができる。それゆえ、例えば、入力された音声データに発話者の発話特性等の固体差が含まれる場合であっても、本発明に係る通信装置の利用者は該音声データの内容を明確に把握することができる。
【００１２】
したがって、本発明に係る通信装置は、発話者の発話特性等により発声に個体差が生じる場合であっても、該発声を明確に把握することができるという効果を奏する。
【００１３】
なお、上記第３者が識別可能な出力形式となるデータとは、例えば、文字データのように音声データを視覚化可能とするデータ、あるいは、発話者の発話特性を含まない音声データ、すなわち語彙の標準的な音韻特徴を示す音声データが挙げられる。
【００１４】
また、本発明に係る通信装置は、上記した構成において、上記変換手段は、第３者が識別可能な出力形式となるデータとして、音声データ特定手段によって特定した語彙を、該語彙の標準的な音韻特徴を示す音声データである標準音声データに変換するように構成されていることが好ましい。
【００１５】
上記構成によると、上記変換手段は、第３者が識別可能な出力形式となるデータとして、音声データ特定手段によって特定した語彙を、該語彙の標準的な音韻特徴を示す音声データである標準音声データに変換するこができる。このため、本発明に係る通信装置は、発話者の発話特性等により発声に個体差が生じる場合であっても、該発声を明確に把握することができる。
【００１６】
また、本発明に係る通信装置は、上記した構成において、上記変換手段は、第３者が識別可能な出力形式となるデータとして、音声データ特定手段によって特定した語彙を、該語彙を示す文字データに変換するように構成されていることが好ましい。
【００１７】
上記構成によると、上記変換手段は、第３者が識別可能な出力形式となるデータとして、音声データ特定手段によって特定した語彙を、該語彙を示す文字データに変換すること
ができる。このため、本発明に係る通信装置は、発話者の発話特性等により発声に個体差が生じる場合であっても、該発声を明確に把握することができる。
【００１８】
また、本発明に係る通信装置は、上記した構成において、上記出力手段によって出力する音声データに基づく音声を再生する再生部と、上記入力された音声データが、他の通信装置から受信した音声データであるのか、または当該通信装置にて受け付けた音声データであるのかを判定する判定手段とを備え、上記判定手段が、上記入力された音声データが、他の通信装置から受信した音声データであると判定した場合、上記出力手段は、上記音声データに対応する標準音声データを、上記再生部に出力するように構成されていることが好ましい。
【００１９】
上記構成によると、判定手段を備えているため、入力された音声データが、他の通信装置から受信した音声データであるのか、当該通信装置にて受け付けた音声データであるのかについて判定することができる。また、上記入力された音声データが、他の通信装置から受信した音声データであると判定した場合、出力手段は、標準音声データを、上記再生部に出力することができる。
【００２０】
このため、本発明に係る通信装置は、他の通信装置から受信した音声データを、上記標準音声データに変換して当該通信装置において再生することができる。
【００２１】
また、本発明に係る通信装置は、上記した構成において、上記出力手段によって出力する音声データを他の通信装置に送信する送信部をさらに備え、上記判定手段が、上記入力された音声データが、当該通信装置にて受け付けた音声データであると判定した場合、
上記出力手段は、上記音声データに対応する標準音声データを、上記送信部に出力するように構成されていることが好ましい。
【００２２】
上記構成によると、上記入力された音声データが、当該通信装置にて受け付けた音声データであると判定した場合、上記出力手段は、上記音声データに対応する標準音声データを、上記送信部に出力することができる。
【００２３】
このため、本発明に係る通信装置は、自装置にて受け付けた音声データを、上記標準音声データに変換して他の通信装置に送信することができる。
【００２４】
また、本発明に係る通信装置は、上記した構成において、上記再生部により再生される音声の再生速度、または上記他の通信装置にて再生される音声の再生速度の調節指示を受け付ける受け付け部をさらに備え、上記出力手段は、上記受け付け部により受け付けた調節指示に応じて、音声の再生速度を調節するように、出力する標準音声データの出力タイミングを制御するように構成されていることが好ましい。
【００２５】
上記構成によると、上記出力手段は、上記受け付け部により受け付けた調節指示に応じて、音声の再生速度を調節するように、出力する標準音声データの出力タイミングを制御することができる。
【００２６】
このため、通信装置または他の通信装置にて再生する音声の再生速度を当該通信装置の利用者によって適切に調節することができる。
【００２７】
また、本発明に係る通信装置は、上記した構成において、上記変換手段によって変換された文字データを文字データ記憶装置に記録する記録手段と、上記記録手段によって記録された文字データの読み出し指示を受け付け、該読み出し指示に応じて上記文字データ記憶装置からこの文字データを読み出す読み出し手段とを備え、上記出力手段は、上記読み出し手段によって読み出された文字データを出力するように構成されていることが好ましい。
【００２８】
上記構成によると、変換手段により変換した文字データを記憶させ、読み出し手段によってこの記憶した文字データを読み出すことができる。そして、この読み出した文字データを出力手段によって出力することができる。
【００２９】
このため、本発明に係る通信装置は、必要に応じて、入力された音声データを文字データに変換した形式で視聴することができる。
【００３０】
また、本発明に係る通信装置は、上記した構成において、上記出力手段によって出力された文字データに基づく表示を行う表示部を備えるように構成されていることが好ましい。
【００３１】
上記構成によると表示部を備えているため、入力された音声データを視認可能な文字として把握することができる。
【００３２】
また、本発明に係る通信装置は、上記した構成において、上記文字データの他の通信装置への送信指示を受け付ける送信指示受け付け部と、上記出力手段によって出力する文字データを他の通信装置に送信する送信部とをさらに備え、上記送信指示受け付け部が、上記文字データの他の通信装置への送信指示を受け付けた場合、上記出力手段は、この文字データを上記送信部に出力するように構成されていることが好ましい。
【００３３】
上記構成によると、送信部を備えるため、入力された音声データから変換した文字データを他の通信装置に送信することができる。このため他の通信装置では、本発明に係る通信装置において入力された音声データを必要に応じて文字データの形式で取得することができる。
【００３４】
したがって、他の通信装置の利用者は、上記音声データの内容を視認可能な文字として把握することができる。
【００３５】
また、本発明に係る通信装置は、上記した構成において、携帯型の通信装置であることが好ましい。
【００３６】
本発明に係る通信装置の制御方法は、上記した課題を解決するために、他の通信装置と通信を確立し通話を行う通信装置の制御方法であって、入力された音声データに対応する語彙を特定する第１ステップと、音声データ特定手段によって特定した語彙を第３者が識別可能な出力形式となるデータに変換する第２ステップと、上記第２ステップにおいて変換されたデータを出力する第３ステップとを含むことを特徴とする。
【００３７】
上記方法では、第１ステップにより入力された音声データに対応する語彙を特定することができる。また、第２ステップにより、この特定した語彙を第３者が識別可能な出力形式となるデータに変換することができる。そして、第３ステップによりこの変換したデータを出力することができる。
【００３８】
このように、本発明に係る通信装置の制御方法は、当該通信装置に入力された音声データを第３者が識別可能な出力形式となるデータに変換し出力することができる。それゆえ、例えば、入力された音声データに発話者の発話特性等の固体差が含まれる場合であっても、本発明に係る通信装置の利用者は該音声データの内容を明確に把握することができる。
【００３９】
したがって、本発明に係る通信装置の制御方法は、発話者の発話特性等により発声に個体差が生じる場合であっても、該発声を明確に把握することができるという効果を奏する。
【００４０】
なお、上記通信装置は、コンピュータによって実現してもよく、この場合には、コンピュータを上記各手段として動作させることにより上記通信装置をコンピュータにて実現させる通信装置の制御プログラム、およびそれを記録したコンピュータ読み取り可能な記録媒体も、本発明の範疇に入る。
【発明の効果】
【００４１】
本発明に係る通信装置は、以上のように、他の通信装置と通信を確立し通話を行う通信装置であって、入力された音声データに対応する語彙を特定する音声データ特定手段と、音声データ特定手段によって特定した語彙を第３者が識別可能な出力形式となるデータに変換する変換手段と、上記変換手段によって変換されたデータを出力する出力手段とを備えることを特徴とする。
【００４２】
したがって、本発明に係る通信装置は、発話者の発話特性等により発声に個体差が生じる場合であっても、該発声を明確に把握することができるという効果を奏する。
【００４３】
本発明に係る通信装置の制御方法は、以上のように、他の通信装置と通信を確立し通話を行う通信装置の制御方法であって、入力された音声データに対応する語彙を特定する第１ステップと、音声データ特定手段によって特定した語彙を第３者が識別可能な出力形式となるデータに変換する第２ステップと、上記第２ステップにおいて変換されたデータを出力する第３ステップとを含むことを特徴とする。
【００４４】
したがって、本発明に係る通信装置の制御方法は、発話者の発話特性等により発声に個体差が生じる場合であっても、該発声を明確に把握することができるという効果を奏する。
【発明を実施するための最良の形態】
【００４５】
本発明の一実施形態について図１ないし図６に基づいて説明すると以下の通りである。すなわち、本発明に係る通話システム１００は、図２に示すように本実施の形態に係る携帯通信装置（通信装置）１、該携帯通信装置１と通信を確立する他の通信装置１５と、ベースステーション２（ベースステーション２ａ、ベースステーション２ｂ）と、交換基地局３とを備えてなる構成である。この図２は、本発明の実施形態を示すものであり、通話システム１００の概略構成を示すブロック図である。
【００４６】
なお説明の便宜上、携帯通信装置１の電波が届く範囲にあるベースステーション２をベースステーション２ａ、他の通信装置１５の電波が届く範囲にあるベースステーション２をベースステーション２ｂと称する。そして、特に両者を区別する必要がない場合は、ベースステーション２と称する。
【００４７】
上記ベースステーション２は、上記携帯通信装置１を公衆回路網等の通信ネットワークに接続する中継局である。
【００４８】
上記交換基地局３は、ベースステーション２ａおよびベースステーション２ｂを介して携帯通信装置１と他の通信装置１５との通信を確立させるものである。
【００４９】
すなわち、本実施の形態に係る通話システム１００では、携帯通信装置１および他の通信装置１５それぞれが、ベースステーション２ａおよびベースステーション２ｂそれぞれに接続し、交換基地局３を介して互いに通信を確立できるようになっている。
【００５０】
次に、本実施の形態に係る携帯通信装置１のハードウェア構成について図３を参照して説明する。図３は本発明の実施形態を示すものであり、携帯通信装置１のハードウェア構成を示す図である。
【００５１】
（携帯通信装置のハードウェア構成）
図３に示すように、本実施の形態に係る携帯通信装置１は、通信用アンテナ４、通信制御部５、信号処理部６、表示制御部７、マイク８、スピーカ９、表示部１０、操作部（受け付け部・送信指示受け付け部）１１、第１メモリ１２、第２メモリ１３、および主制御部１４を備えてなる構成である。
【００５２】
なお、上記通信制御部５と信号処理部６とによって本発明の送信部を実現する。また、スピーカ９と信号処理部６とによって本発明の再生部を実現する。さらにまた、表示制御部７と表示部１０とによって本発明の表示部を実現する。
【００５３】
上記通信用アンテナ４は、通信制御部５の制御の下、他の通信装置１５から送信された通信電波を受信するためのアンテナである。
【００５４】
上記通信制御部５は、上記通信用アンテナ４を制御して、例えば、他の通信装置１５と通信を確立し通話を行ったり、各種データを送受信したりするものである。
【００５５】
上記信号処理部６は、通信制御部５またはマイク８から入力される音声信号の入力制御を行うとともに該音声信号を当該携帯通信装置１において処理可能なデータ形式に変換するものである。
【００５６】
さらにまた、上記信号処理部６は、主制御部１４から受信したデジタル形式の音声データを、通信制御部５を通じて他の通信装置１５に送信可能な形式に、またはスピーカ９において出力可能な形式に変換するものでもある。
【００５７】
例えば、信号処理部６は、主制御部１４からの制御指示の下、マイク８から入力された音声信号をアナログデータからデジタルデータの音声データに変換する。また、信号処理部６は、主制御部１４から入力された音声データを、スピーカ９から出力できるようにデジタルデータからアナログデータの音声信号に変換する。
【００５８】
なお、本実施形態では、他の通信装置１５から受信または、マイク８から入力された音声信号（アナログ信号）をデジタル信号に変換したデータを音声データと称することとする。
【００５９】
また、信号処理部６は、主制御部１４から出力された文字データを電子メールに添付できる形式に変換し、通信を確立している他の通信装置１５に該電子メールを送信するように通信制御部５に指示するものでもある。
【００６０】
上記表示制御部７は、主制御部１４からの指示に応じて表示部１０を制御して画像等を表示させるものである。例えば表示制御部７は、主制御部１４から文字データを受信すると該文字データに基づく文字表示を表示部１０にて行うように制御する。
【００６１】
上記表示部１０は、表示制御部７による表示制御に応じて画像等を表示させるものであり、例えばＬＣＤ（liquid crystal display）等によって実現できる。
【００６２】
上記スピーカ９は、信号処理部６から出力された音声信号を再生するものである。マイク８は、本実施の形態に係る携帯通信装置１の外部に生じる音声の入力を受け付けるものである。
【００６３】
操作部１１は、当該携帯通信装置１のユーザからの操作指示を受け付けるものであり、例えば、操作キー、操作ボタン、テンキー、マウス、キーボード、タッチパネル等によって実現できる。
【００６４】
上記第１メモリ１２は、バッファ的な役割を果たすものであり、例えば、ＲＡＭ（random access memory）等によって実現される。また、第２メモリ１３は、恒久的にデータを蓄積する役割を果たすものであり、例えば、フラッシュメモリ等によって実現できる。なお、携帯通信装置１の記憶装置である第１メモリ１２および第２メモリ１３は、携帯通信装置１の仕様に応じて構成を適宜変更可能であり、例えば、一体として設けてもよい。
【００６５】
上記主制御部１４は、当該携帯通信装置１が有する各部の各種制御を行うものであり、例えば、ＣＰＵ等によって実現できる。
【００６６】
このように各部を備える携帯通信装置１は、以下に示すように通話機能を実現することができる。
【００６７】
まず、携帯通信装置１では、通信制御部５による送受信制御のもとに、通信用アンテナ４を介してベースステーション２ａとの信号の送受信を行う。そして、信号処理部６が通信制御部５で送受信される信号に所定の信号処理を施す。これによって、ベースステーション２ａを介して相手側装置（例えば、他の通信装置１５）から送信されてくる音声をスピーカ９から出力したり、マイク８から入力される音声を、ベースステーション２ａを介して相手側装置（例えば、他の通信装置１５）に送信したりするようになっている。このようにして、携帯通信装置１は、通話機能を実現する。
【００６８】
なお、携帯通信装置１が有する機能は、上記した通話機能に限定されるものではない。撮像部（不図示）を備え、該撮像部によって撮影を行うカメラ機能、電子メールやＷｅｂページなど、テキストデータ、画像データ、あるいはＨＴＭＬデータを送受信するメール機能など他の機能もさらに備えている。
【００６９】
また、上記携帯通信装置１は、次のようにデジタル放送を受信する構成であってもよい。すなわち、携帯通信装置１は、デジタル放送受信用アンテナを備え、このデジタル放送受信用アンテナを介してデジタル放送の放送データを受信する。そして、受信した放送データにおける映像データを表示部１０に表示させるとともに、音声データをスピーカ９から出力させることでデジタル放送の再生機能を実現してもよい。
【００７０】
ところで、上記した構成を有する携帯通信装置１では、他の通信装置１５から受信した該通信装置１５の利用者の音声が聞き取りにくい場合、この音声を補正してスピーカ９で再生することができる。または当該携帯通信装置１を利用して他の通信装置１５に送信する利用者の音声が聞き取りにくい場合、この音声を補正して通信相手となる他の通信装置に送信することができるように構成されている。
【００７１】
なお、本実施の形態に係る携帯通信装置１において、このように音声の補正を行う処理を「音声の補正処理」と称する。
【００７２】
また、上記携帯通信装置１は、当該携帯通信装置１を利用する利用者および／または通信相手となる他の通信装置１５の利用者の発話に伴う音声データを文字データとして記録することができるようにも構成されている。なお、本実施の形態に係る携帯通信装置１において、このように音声を文字データに変換して記録する処理を音声の記録処理と称する。
【００７３】
以下において、図１を参照して、音声の補正処理および記録処理に関する携帯通信装置１のソフトウェア構成について説明する。図１は、本発明の実施形態を示すものであり、携帯通信装置１の要部構成を示すブロック図である。
【００７４】
（音声の補正処理および記録処理）
図１に示すように携帯通信装置１は、機能ブロックとして、受信制御部（判定手段）
２１、音声解析部２２、音声認識部２３、音声合成部（変換手段）２４、送信制御部（出力手段）２５、テキスト変換部（変換手段）２６、記録部（記録手段）２７、および読み出し部（読み出し手段）２８を備えてなる構成である。なお、この各機能ブロックは、主制御部１４が第２メモリ１３に記憶したプログラムを第１メモリ１２に読み出して実行することにより実現できる。
【００７５】
なお、上記音声解析部２２と音声認識部２３とによって本発明の音声データ特定手段を実現する。
【００７６】
また、携帯通信装置１は、音声認識情報記憶装置４１、テキスト変換情報記憶装置４２、記録情報記憶装置（文字データ記憶装置）４３、および音声合成情報記憶装置４４も備えている。なお、これらの記憶装置は、第２メモリ１３として実現できるものであり、図１では説明の便宜上それぞれ別々の記憶装置として示している。
【００７７】
ここでまず、各記憶装置において記憶される各種情報について説明する。
【００７８】
上記音声認識情報記憶装置４１は音響モデル３２を記憶している。この音響モデル３２は、後述する音声認識部２３が入力音声に対応する語彙を探索するために利用する情報であり、あらかじめ大量の学習データから各音素の特徴を例えば隠れマルコフモデル（ＨＭＭ）により表現したものである。
【００７９】
なお、この音声認識情報記憶装置４１に記憶される音響モデル３２の語彙数は、他の通信装置１５から送信される音声信号、またはマイク８から入力される音声信号に含まれる語彙に十分に対応できるように豊富であることが好ましい。さらに、この音響モデル３２は、高精度でかつ汎用的な音響モデルであることが好ましい。
【００８０】
テキスト変換情報記憶装置４２は、テキスト変換情報３３を記憶している。このテキスト変換情報３３は、後述するテキスト変換部２６が音声認識部２３による認識結果に対応する文字データを得るために参照する情報であり、音声の認識結果と文字データとが対応付けられている。
【００８１】
記録情報記憶装置４３は、記録情報（文字データ）３４を記憶している。この記録情報３４は、テキスト変換部２６によって変換された文字データであり、記録部２７によって記録された情報である。この記録情報３４は、読み出し部２８によって記録情報記憶装置４３から読み出すことができる。
【００８２】
音声合成情報記憶装置４４は、音声データベース３５を記憶している。この音声データベース３５は、発話者のアクセント、発音等固体差を示す発話特性を含まないように合成した音声データを記録するデータベースである。つまり、言い換えると、音声認識部２３による認識結果として特定された語彙群の標準的な音韻特徴を示す音声データ群である。なお、標準的な音韻特徴を示す音声データを標準音声データと称する。そして、この音声データベース３５では、音声認識部２３による認識結果と上標準音声データとが対応付けられて記憶されている。
【００８３】
次に、携帯通信装置１が機能ブロックとして備える各部について説明する。
【００８４】
上記受信制御部２１は、操作部１１から入力された音声の補正処理実行指示に応じて、信号処理部６によって処理された音声データを取得し、音声解析部２２に出力するものである。
【００８５】
なお、この受信制御部２１が取得する音声データは、以下いずれかの経路によって取得したものである。
【００８６】
すなわち、上記音声データは、通信制御部５を通じて信号処理部６に入力された、通信相手先となる他の通信装置１５から送信された音声信号に基づくものである。
【００８７】
または、上記音声データは、マイク８を介して信号処理部６に入力された、当該携帯通信装置１の利用者自身の音声信号に基づくものである。
【００８８】
あるいは、上記音声データは、上記他の通信装置１５から送信された音声信号と、マイク８を介して信号処理部６に入力された音声信号との両方に基づくものである。
【００８９】
また、上記受信制御部２１は、後述する音声の補正処理開始の指示を、操作部１１を通じて受け付けた場合、入力された音声信号が他の通信装置１５から受信したものであるのか、当該携帯通信装置１においてマイク８を通じて入力されたものであるのか判定することができるように構成されている。
【００９０】
そして、受信制御部２１は、入力された音声信号を他の通信装置１５から受信したものであると判定した場合、該受信した音声信号に基づき変換した標準音声データをスピーカ９から出力するように送信制御部２５に指示する。
【００９１】
一方、受信制御部２１は、上記音声信号を、マイク８を通じて受け付けたものであると判定した場合、該受信した音声信号に基づき変換した標準音声データを他の通信装置１５に出力するように送信制御部２５に指示する。
【００９２】
音声解析部２２は、受信制御部２１から入力された音声データを分析し音響的特徴を示す特徴量を抽出するものである。音声解析部２２は、抽出した特徴量を音声認識部２３に出力する。
【００９３】
音声認識部２３は、音声解析部２２によって抽出された音声データの特徴量と、音声認識情報記憶装置４１に記憶している音響モデル３２とを照合し、該特徴量に応じた音響モデル３２を探索するものである。そして、音声認識部２３は、この探索結果に基づき、入力された音声データに最も近い音響モデル３２に対応する語彙を示す情報を認識結果として音声合成部２４および／またはテキスト変換部２６に出力する。
【００９４】
音声合成部２４は、音声認識部２３から入力された認識結果に対応する標準音声データを、音声合成情報記憶装置４４に記憶している音声データベース３５から選択し、送信制御部２５に出力するものである。
【００９５】
テキスト変換部２６は、音声認識部２３から出力された認識結果を文字データに変換するものである。すなわち、テキスト変換部２６は、上記認識結果に応じた文字データをテキスト変換情報３３から探索し、該認識結果を文字データに変換する。そして、テキスト変換部２６は、この変換した文字データを記録部２７に出力する。
【００９６】
記録部２７は、テキスト変換部２６から入力された上記文字データを、記録情報記憶装置４３に記録情報３４として記録するものである。
【００９７】
なお、他の通信装置１５から入力される音声信号に対して音声の補正処理を行う場合、記録情報記憶装置４３に記憶された記録情報３４は通信相手の通話内容の記録となる。
【００９８】
一方、マイク８から入力される音声信号に対して音声の補正処理を行う場合、記録情報記憶装置４３に記録された記録情報３４は、当該携帯通信装置１を利用する利用者の通話内容の記録となる。
【００９９】
また、他の通信装置１５から入力される音声信号およびマイク８から入力される音声信号に対して音声の補正処理を行う場合、記録情報記憶装置４３に記録された記録情報３４は、当該携帯通信装置１を利用する利用者と、通信を確立している他の通信装置の利用者（通信相手）との間での通話内容の記録となる。
【０１００】
上記読み出し部２８は、操作部１１から入力された記録情報３４の読み出し指示に応じて、記録情報記憶装置４３に記憶された記録情報３４を読み出し送信制御部２５に出力するものである。
【０１０１】
送信制御部２５は、音声合成部２４から入力された標準音声データ、または読み出し部２８から入力された記録情報（文字データ）２４を信号処理部６に出力するものである。
【０１０２】
上記送信制御部２５は、受信制御部２１からの指示に応じて、標準音声データを、信号処理部６を通じて音声信号に変換させ、スピーカ９に出力するように制御したり、通信制御部５に出力し、他の通信装置１５に送信するように制御したりするものである。
【０１０３】
また、送信制御部２５は、読み出し部２８から受信した文字データを、信号処理部６を通じて通信制御部５に出力し、他の通信装置１５に送信するように制御するものである。
【０１０４】
すなわち、送信制御部２５は、上記文字データを信号処理部６に出力するとともに、該文字データを電子メールに添付して送信できる形式に変換するように指示する。信号処理部６は、この送信制御部２５からの指示に応じて、文字データを電子メールに添付できるデータ形式に変換し、通信制御部５に送信する。通信制御部５は、信号処理部６から受信した文字データを添付データとして電子メールを他の通信装置に送信するように制御する。
【０１０５】
また、送信制御部２５は、上記文字データを表示制御部７に出力し、表示部１０において表示するように制御するものでもある。
【０１０６】
さらにまた、送信制御部２５は、操作部１１から、音声の再生速度の調節に関する指示を受信すると、該指示に応じた再生速度により再生されるように信号処理部６に出力する音声データのタイミング等を調節するものでもある。
【０１０７】
以上のように構成された携帯通信装置１において実行される音声の補正処理および記録処理の処理フローについて以下に説明する。
【０１０８】
まず音声の補正処理のうち、通信を確立している他の通信装置１５から受信した音声を補正する処理（音声の補正処理１）のフローについて図４を参照して説明する。なお、この図４は、本発明の実施形態を示すものであり、携帯通信装置１における音声の補正処理の一例を示すフローチャートである。
【０１０９】
（音声の補正処理１）
前提として、本実施の形態に係る携帯通信装置１は、他の通信装置１５との通信を確立しており、当該携帯通信装置１と上記他の通信装置１５とのそれぞれの利用者の間で通話が実行されているものとする。
【０１１０】
このように通話が実行されている状態において、携帯通信装置１の利用者は、上記他の通信装置１５の発話者の発声等に起因して該発話者の音声が聞き取りにくいと判断したとする。そこで、携帯通信装置１の利用者が、操作部１１を操作してこの音声の補正処理開始を指示する（ステップＳ１１、これ以降Ｓ１１のように称する）。
【０１１１】
なお、この音声の補正処理開始指示の実行は、例えば以下のような操作によって行われる。すなわち、携帯通信装置１の利用者が補正処理開始指示の実行用に設けられた専用の操作ボタンを押下する。あるいは、メニュー画面から補正処理開始指示の実行を、十字キー等を利用して選択し、決定キーを押下する。
【０１１２】
携帯通信装置１では、このように音声の補正処理の開始指示入力を操作部１１により受け付けると、該入力された指示を受信制御部２１が受信する。受信制御部２１は、この指示に応じて、他の通信装置１５から受信した音声信号をデジタルデータに変換した音声データを、信号処理部６から受信する。
【０１１３】
なお上述したように、音声の補正処理開始の指示を受け付け、音声データを受信する際、受信制御部２１は、該音声データが他の通信装置１５から受信したものであるのか、あるいはマイク８により受け付けたものであるのか判定できるようになっている。ここでは、受信制御部２１は、受信した音声データを他の通信装置１５から受信したものであると判定するため、この受信した音声データに基づき変換した標準音声データをスピーカ９から出力するように送信制御部２５に指示する。
【０１１４】
受信制御部２１が信号処理部６から音声データを受信すると、この音声データを音声解析部２２が解析する（Ｓ１２）。そして音声解析部２２は、音声データの解析の結果、受信した音声データから発話を構成する語彙ごとの音響特徴を抽出し、音声認識部２３に送信する。
【０１１５】
音声認識部２３は、音声解析部２２により抽出された各語彙の音声データの音響特徴と、音声認識情報記憶装置４１に記憶している各語彙の音響モデル３２とを照合（候補探索）し、受信した上記音声データの音声認識を行う（Ｓ１３）。そして、音声認識部２３は、この音声認識の認識結果として上記音響的特徴に近い語彙を選択し、この認識結果を音声合成部２４に出力する。
【０１１６】
音声合成部２４は、音声認識部２３から受信した認識結果に対応する標準音声データを音声データベース３５から選択する（Ｓ１４）。そして、音声合成部２４は、この選択した標準音声データを送信制御部２５に送信する。
【０１１７】
なお、音声合成部２４は、音声データベース３５から選択した標準音声データを送信制御部２５に送信する際、時間的に連続する各語彙の共起確率、および係り受け関係等を考慮して、各語彙間のつながりが自然な発声に近似するよう音声データを加工する。
【０１１８】
送信制御部２５は、受信制御部２１から受信した指示に応じて、音声合成部２４から入力された標準音声データを信号処理部６に送信する。そして、送信制御部２５は、上記標準音声データに基づく音声をスピーカ９から出力できる形式に変換するよう信号処理部６を制御する。
【０１１９】
信号処理部６は、送信制御部２５からの制御指示に応じて、入力された標準音声データをアナログデータである音声信号に変換しスピーカ９に送出する。このようにして、他の通信装置１５から受信した音声信号に対応する標準音声データをスピーカ９から出力して再生することができる（Ｓ１５）。
【０１２０】
以上のように本実施の形態に係る携帯通信装置１では、通信を確立している他の通信装置１５から受信した音声信号の音声データを、標準音声データに変換して出力できる。このため、受信した音声信号が発話者の発声等に起因して聞き取りにくい場合であっても、携帯通信装置１の利用者はこの音声を正確に聞き取ることができる。
【０１２１】
なお、上記したステップＳ１２〜ステップＳ１５までの一連の処理は、他の通信装置１５から音声信号を通信制御部５が受信している間、すなわち、通話が終了するまで、あるいは、当該携帯通信装置１の利用者により「音声の補正処理」の停止が指示されるまで継続される。
【０１２２】
ところで、スピーカ９において標準音声データに基づく音声を再生する場合であっても、携帯通信装置１の利用者の聴覚能力に起因して、音声の再生速度が適切ではないと該利用者が感じる場合がある。
【０１２３】
そこで、本実施の形態に係る携帯通信装置１では、スピーカ９において再生する音声の再生速度の調節の要否を、当該携帯通信装置１の利用者に問い合わせることができる構成となっている。
【０１２４】
すなわち、送信制御部２５は、標準音声データを信号処理部６を通じてスピーカ９に出力すると、表示制御部７を制御して表示部１０において、再生速度の調節の有無を問い合わせる表示を行う（Ｓ１６）。
【０１２５】
この問い合わせに対して、再生速度の調節が必要であると携帯通信装置１の利用者が判断した場合（ステップＳ１６において「ＹＥＳ」の場合）、その旨の指示を、操作部１１を操作して入力する。
【０１２６】
携帯通信装置１では、再生速度の調節指示を、操作部１１を介して受け付けると、送信制御部２５が該指示に応じて、信号処理部６を介してスピーカ９に出力する音声データの送出タイミングを調節する。このようにして携帯通信装置１では、送信制御部２５がスピーカ９における音声の再生速度を調節する（Ｓ１７）。そして、音声の再生速度を調節すると、送信制御部２５は、標準音声データを信号処理部６を通じてスピーカ９に再出力する（Ｓ１８）。
【０１２７】
なお、上記では標準音声データの一部をスピーカ９に出力して再生させてから、音声の再生速度の調節の要否を確認する構成であった。
【０１２８】
しかしながら、上記再生速度の調節の確認を行うタイミングはこれに限定されるものではない。
【０１２９】
例えば、合成された標準音声データに基づく音声の再生速度が速いまたは遅いということが予め分かっている場合、ステップＳ１５で標準音声データに基づく音声をスピーカ９から出力させる前に送信制御部２５が再生速度を調節する構成であってもよい。
【０１３０】
次に、音声の補正処理のうち、当該携帯通信装置１を利用して通話を行う利用者の音声を補正する処理（音声補正処理２）のフローについて図５を参照して説明する。この図５は、本発明の実施形態を示すものであり、携帯通信装置１における他の音声の補正処理（音声補正処理２）の一例を示すフローチャートである。
【０１３１】
（音声補正処理２）
上記した「音声の補正処理１」と同様に、前提として、他の通信装置１５との通信を確立し、本実施の形態に係る携帯通信装置１と上記他の通信装置１５とのそれぞれの利用者の間で通話が実行されているものとする。
【０１３２】
このように通話が実行されている状態において、当該携帯通信装置１の利用者は、自身の発声に起因して音声が聞き取りにくいと判断したものとする。そこで、この判断に応じて、携帯通信装置１の利用者が、自身の発声の「音声の補正処理」開始を指示する（Ｓ２１）。
【０１３３】
本実施の形態に係る携帯通信装置１では、上記「音声の補正処理」の開始指示入力を操作部１１により受け付けると、該指示を受信制御部２１が受信する。上記受信制御部２１は、この指示に応じて、マイク８から入力された音声信号の音声データを信号処理部６から受信する。
【０１３４】
なお上述したように、音声の補正処理開始の指示を受け付け、音声データを受信する際、受信制御部２１は、該音声データが通信制御部を通じて他の通信装置１５から受信したものであるのか、あるいはマイクを通じて当該携帯通信装置１において受け付けたものであるのか判定できるようになっている。
【０１３５】
ここでは、受信制御部２１は、上記音声データを、マイク８を通じて受け付けたものであると判定するため、該受信した音声データに基づき変換した標準音声データを他の通信装置１５に出力するように送信制御部２５に指示する。
【０１３６】
受信制御部２１が上記音声データを受信すると、ステップＳ１２と同様にしてこの音声データを音声解析部２２が解析する（Ｓ２２）。そして、ステップＳ１３と同様にして、音声認識部２３は、マイク８から入力された上記音声データの音声認識を行う（Ｓ２３）。そして、ステップＳ１４と同様にして音声合成部２４は、音声認識部２３から受信した認識結果に対応する標準音声データを音声データベース３５から選択する（Ｓ２４）。そして、選択した標準音声データを送信制御部２５に送信し、該音声データに基づく音声を、通信制御部５を介して通信を確立している他の通信装置１５に出力するように指示する。
【０１３７】
送信制御部２５は、音声合成部２４からの指示に応じて入力された音声データを信号処理部６に送信するとともに、該音声データに基づく音声を他の通信装置１５に送信できる形式に変換するよう信号処理部６を制御する。
【０１３８】
信号処理部６は、送信制御部２５からの制御指示に応じて、入力された音声データをアナログデータである音声信号に変換し通信制御部５に入力する。通信制御部５は、この入力された音声信号を、通信を確立している他の通信装置１５に送信するように制御する。このようにして、携帯通信装置１の利用者の発話から得られる音声に対応した、人工的に合成された音声（標準音声データに基づく音声）を、通信を確立している他の通信装置１５に送信することができる（Ｓ２５）。
【０１３９】
このように本実施の形態に係る携帯通信装置１は、マイク８から入力された当該携帯通信装置１の利用者の音声を、標準音声データに基づく音声に置き換えて出力することができる。このため、マイク８から入力した音声が発話者の発声に起因して聞き取りにくい場合であっても、携帯通信装置１と通信を確立している他の通信装置１５の利用者はこの音声を感度よく聞き取ることができる。
【０１４０】
なお、上記したステップＳ２２〜ステップＳ２５までの一連の処理は、他の通信装置１５との通話が終了するまで、あるいは、「音声の補正処理」の停止が指示されるまで継続される。
【０１４１】
次に、人工的に合成した音声（標準音声データに基づく音声）を他の通信装置１５に送信する場合であっても、他の通信装置１５の利用者の聴覚能力に起因して、音声の再生速度が適切でないと感じる場合がある。
【０１４２】
そこで、本実施の形態に係る携帯通信装置１は、他の通信装置１５における音声の再生速度の調節要求を受信した場合、この要求に応じて再生速度を調節できるようになっている。
【０１４３】
すなわち、他の通信装置１５の利用者から、音声の再生速度の調節が必要である旨の要求が通知されると（ステップＳ２６において「ＹＥＳ」）、携帯通信装置１の利用者は、音声の再生速度の調節を行う旨の指示を、操作部１１を操作して入力する。
【０１４４】
携帯通信装置１では、送信制御部２５が再生速度の調節指示を、上記操作部１１を介して受け付けると、該指示に応じて、信号処理部６に出力する音声データの送出タイミングを制御する。このようにして携帯通信装置１では、送信制御部２５が他の通信装置１５に送信する音声の再生速度を調節する（Ｓ１７）。そして、送信制御部２５は、送出タイミングが調節された標準音声データを、信号処理部６を通じて通信制御部５に出力し、他の通信装置１５に送信するように制御する（Ｓ２８）。
【０１４５】
なお、上記では、一度マイク８から入力された音声に対応する標準音声データの音声を他の通信装置１５に送信させる。そして送信した音声の再生速度の調節の要否を確認する構成であったが、この確認を行うタイミングはこれに限定されるものではない。
【０１４６】
例えば、上記標準音声データに基づく音声の再生速度が速いまたは遅いということが予め分かっている場合、ステップＳ２５で他の通信装置１５に音声を送信する前に送信制御部２５が音声の再生速度を調節する構成であってもよい。
【０１４７】
以上のように、本実施の形態に係る携帯通信装置１では、入力された音声データが、他の通信装置１５から受信した音声データであると受信制御部２１が判定した場合、送信制御部２５は、標準音声データを、信号処理部６を通じてスピーカ９に出力することができる。
【０１４８】
このため、本実施の形態に係る携帯通信装置１は、他の通信装置１５から受信した音声データを、上記標準音声データに変換してスピーカ９で再生することができる。
【０１４９】
一方、本実施の形態に係る携帯通信装置１では、受信制御部２１が、入力された音声データが、当該携帯通信装置１にて受け付けた音声データであると判定した場合、送信制御部２５は、上記音声データに対応する標準音声データを、信号処理部６を通じて上記通信制御部５に出力することができる。
【０１５０】
このため、本実施の形態に係る携帯通信装置１は、マイク８にて受け付けた音声データを、上記標準音声データに変換して他の通信装置１５に送信することができる。
【０１５１】
したがって、本実施の形態に係る携帯通信装置１は、発話者の発話特性等により発声に個体差が生じる場合であっても、該発声を明確に把握することができる。
【０１５２】
また、以上のように本実施の形態に係る携帯通信装置１では、操作部１１から受け付けた再生速度の調節指示に応じて、送信制御部２５が音声の再生速度を調節するように標準音声データの出力タイミングを制御することができる。
【０１５３】
このため、携帯通信装置１または他の通信装置１５にて再生する音声の再生速度を当該携帯通信装置１の利用者によって適切な速度に調節することができる。
【０１５４】
次に、音声の記録処理について説明する。なお、ここでは他の通信装置１５の利用者の音声を文字データとして記録する処理を例に挙げず６を参照して説明する。なお、この図６は、本発明の実施形態を示すものであり、携帯通信装置１における音声の記録処理の一例を示すフローチャートである。
【０１５５】
（音声の記録処理）
上記した「音声の補正処理」同様に、前提として、本実施の形態に係る携帯通信装置１は、他の通信装置１５との通信を確立している。そして、本実施の形態に係る携帯通信装置１と、この他の通信装置１５とのそれぞれの利用者の間で通話が実行されているものとする。
【０１５６】
このように通話が実行されている状態において、携帯通信装置１の利用者は、他の通信装置１５の利用者の発話を文字データとして記録したいと判断する。そして、この判断に応じて、本実施の形態に係る携帯通信装置１の利用者が、他の通信装置１５から受信した「音声の記録処理」開始を指示する（Ｓ３１）。
【０１５７】
なお、上記「音声の記録処理」開始の指示は、例えば以下のような操作によって実行することができる。すなわち、通話中に「音声の記録処理」開始を指示するか否かを問い合わせる内容を示したポップアップ画面が表示部１０において表示される。ここで、携帯通信装置１の利用者がこのポップアップ画面上で設定されている「音声の記録処理」開始の項目を十字キー等を操作して選択し、決定を示す操作ボタンを押下する。
【０１５８】
本実施の形態に係る携帯通信装置１は、上記「音声の記録処理」の開始指示入力を操作部１１により受け付けると、該入力された指示を受信制御部２１が受信する。受信制御部２１は、この指示に応じて、他の通信装置１５から受信した音声信号の音声データを信号処理部６から受信する。
【０１５９】
受信制御部２１が上記音声データを受信すると、ステップＳ１２と同様にしてこの音声データを音声解析部２２が解析する。そして、ステップＳ１３と同様にして、音声認識部２３は、音声解析部２２によって解析された上記音声データの音声認識を行う。ここまでは、図４に示すフローチャートにおけるステップＳ１１〜Ｓ１３までに処理と同様であるため各処理の詳細は省略する。
【０１６０】
このように音声認識部２３が音声データの音声認識を実行すると、この音声認識結果を
テキスト変換部２６に出力する。テキスト変換部２６は、音声認識部２３から音声認識結果を受信すると、該音声認識結果に基づき、テキスト変換情報３３を参照して該認識結果に対応する文字データに変換する（Ｓ３２）。そして、テキスト変換部２６は、この変換した文字データを記録部２７に渡し、記録情報記憶装置４３に記録情報３４として記録するように指示する。
【０１６１】
記録部２７は、テキスト変換部２６からの指示に応じて、受信した文字データを記録情報記憶装置４３に記録情報３４として記録する（Ｓ３３）。
【０１６２】
以上のようにして、他の通信装置１５から受信した音声信号の音声データを文字データの形式で記録情報記憶装置４３に記憶させることができる。
【０１６３】
すなわち、携帯通信装置１では、テキスト変換部２６は、入力された音声データを、第３者が識別可能な出力形式となるデータとして、音声認識部２３による認識結果に応じた文字データに変換することができる。このため、携帯通信装置１は、発話者の発話特性等により発声に個体差が生じる場合であっても、該発声を明確に把握することができる。
【０１６４】
なお、上記では、他の通信装置１５から受信した音声信号を文字データの形式で記録する処理について説明したが、この音声信号は、マイク８から入力された携帯通信装置１の利用者の音声信号であってもよい。さらには、他の通信装置１５から受信した音声信号およびマイク８から入力された音声信号の両方であってもよい。
【０１６５】
上記のように他の通信装置１５から受信した音声信号を文字データの形式に変換して記録情報記憶装置４３に記憶する場合、記録情報３４の内容は他の通信装置１５を利用する利用者の発話内容となる。
【０１６６】
一方、マイク８から入力された音声信号を文字データの形式に変換して記録情報記憶装置４３に記憶する場合、記録情報３４の内容は、携帯通信装置１を利用する利用者の発話内容となる。
【０１６７】
また、他の通信装置１５から受信した音声信号およびマイク８から入力された音声信号を文字データの形式に変換して記録情報記憶装置４３に記憶する場合、記録情報３４の内容は、携帯通信装置１を利用する利用者と、他の通信装置１５を利用する利用者との双方の発話内容となる。
【０１６８】
上記のようにして、記録情報記憶装置４３に記録情報３４が記録されると、携帯通信装置１の利用者が該記録情報３４の読み出しを、操作部１１を操作して指示する。この操作は例えば、以下のように実行される。すなわち、表示部１０におけるポップアップ画面により、記録情報３４の読み出し要否の問い合わせが示される。このポップアップ画面において携帯通信装置１の利用者が十字キー等を操作して読み出し指示を選択し、決定キーを押下する。
【０１６９】
このようにして、記録情報３４の読み出しが携帯通信装置１の利用者により指示されると、該指示は、操作部１１から読み出し部２８に通知される。読み出し部２８は、操作部１１からの上記通知に応じて、記録情報記憶装置４３から記録情報３４を読み出す（Ｓ３５）。
【０１７０】
読み出し部２８は、記録情報記憶装置４３から読み出した記録情報３４を送信制御部２５に送信する。送信制御部２５は、読み出し部２８から記録情報３４を受信すると、表示制御部７に該記録情報３４を出力し、表示部１０に表示させるように制御する。
【０１７１】
表示制御部７は、送信制御部２５から入力された記録情報３４に基づき表示部１０において表示を行う（Ｓ３６）。このようにして記録情報３４に基づく表示を行うと、表示部１０においてさらに該記録情報３４の、他の通信装置１５への送信の要否を問い合わせるポップアップ画面が立ち上がる。
【０１７２】
ここで、携帯通信装置１の利用者が、このポップアップ画面において、他の通信装置装置１５への記録情報３４の送信が必要である旨選択し、決定キーを押下した場合（Ｓ３７において「ＹＥＳ」）、この操作指示は操作部１１から送信制御部２５に通知される。
【０１７３】
送信制御部２５は、この操作部１１からの通知を受信すると、読み出し部２８から受信した記録情報３４を、信号処理部６を通じて通信制御部５に出力する。そして、送信制御部２５は、この記録情報３４を他の通信装置１５に送信するように指示する。
【０１７４】
通信制御部５は、送信制御部２４からの指示に応じて、記録情報３４を他の通信装置１５に送信する。なお、本実施の形態に係る携帯通信装置１では、この記録情報３４を、例えば電子メールの添付データとして他の通信装置１５に送信する（Ｓ３８）。そして、「音声の記録処理」を終了する。
【０１７５】
なお、ステップＳ３７において「ＮＯ」の場合は、記録情報３４の送信処理は実行されず「音声の記録処理」は終了する。
【０１７６】
ところで、本実施の形態に係る携帯通信装置１において上記した「音声の記録処理」は、操作部１１から入力された、「音声の記録処理」の開始指示に応じて実行されるように構成されていたが、この開始のトリガはこれに限定されるものではない。
【０１７７】
例えば、他の通信装置１５またはマイク８から受信した音声信号に対する「音声の補正処理」の開始指示に応じて、この受信した音声信号に対する「音声の記録処理」もあわせて実行する構成であってもよい。
【０１７８】
このように構成されている場合、音声認識部２３は、音声認識による認識結果を音声合成部２４のみならず、テキスト変換部２６にも出力する。そして、音声合成部２４が上記認識結果に応じた標準音声データを選択するとともに、テキスト変換部２６が認識結果に応じた文字データに変換する。
【０１７９】
また、図６に示す「音声の記録処理」では、テキスト変換部２６により音声データが文字データに変換されると、該文字データを記録部２７が自動的に記録情報記憶装置４３に記憶する構成であった。
【０１８０】
しかしながら、テキスト変換部２６が音声認識部２３による音声認識結果に基づき音声データを文字データに変換すると、該変換した文字データの記録の要否を携帯通信装置１の利用者に問い合わせる構成であってもよい。
【０１８１】
このように、文字データの記録の要否を問い合わせるように構成されている場合、記録部２７は、テキスト変換部２６から受信した文字データを記録情報記憶装置４３に記憶する必要があるか否かを表示制御部７を制御して表示部１０に表示させる。
【０１８２】
なお、この文字データの記録、すなわち「音声の記録処理」の要否の問い合わせは、例えば表示部１０におけるポップアップ画面において表示され、以下のような操作によって実行することができる。
【０１８３】
すなわち、携帯通信装置１の利用者がこのポップアップ画面上で設定されている「音声の記録処理」開始の項目を、十字キー等を操作して選択し、決定キーを押下する。このようにして携帯通信装置１の利用者が決定キーを押下すると、「音声の記録処理」開始の通知を操作部１１から記録部２７が受け付ける。そして、記録部２７は受信した通知に応じて、文字データを記録情報３４として記録情報記憶装置４３に記憶させる。
【０１８４】
このように、文字データを記録情報３４として記録情報記憶装置４３に記憶させる前に、該文字データの記録の要否を確認する構成の場合、記録することが不要な文字データを記録情報記憶装置４３に記録してしまうことを防ぐことができる。このため、記録情報記憶装置４３の記憶領域を有効に活用することができる。
【０１８５】
また、本実施の形態に係る携帯通信装置１では、記録部２７により上記記録情報３４を記録情報記憶装置４３に記録する構成であった。そして、操作部１１にて受け付けた記録情報３４の読み出し指示に応じて、読み出し部２８が上記記録情報３４を記録情報記憶装置４３から読み出す構成であった。
【０１８６】
しかしながらこの構成に限定されるものではなく、上記記録情報３４を記録情報記憶装置４３に記録せずに送信制御部２５が表示制御部７に出力する構成であってもよい。このような構成の場合、図１において記録部２７、読み出し部２８、および記録情報記憶装置４３を備える必要がなく、テキスト変換部２６によって変換された文字データ（記録情報３４）は送信制御部２５に出力される。
【０１８７】
このように、文字データ（記録情報３４）を記録情報記憶装置４３に記憶させない構成の場合、入力された音声データをリアルタイムで文字データに置き換え表示させることができる。
【０１８８】
また、上記したように構成された携帯通信装置１では、図７に示すように他の通信装置１５と通信を確立する際に、予め「音声の補正機能」を指示する構成であってもよい。なお、この図７は本発明の実施形態を示すものであり、携帯通信装置１の通話の実行時における処理の一例を示すフローチャートである。
【０１８９】
まず、本実施の形態に係る携帯通信装置１が待ち受けの状態にあるとする（Ｓ４１）。ここで、携帯通信装置１の利用者が、操作部１１を操作して通信相手先の電話番号を入力する（Ｓ４２）。
【０１９０】
この電話番号の入力は、携帯通信装置１の利用者が操作部１１としてテンキーを操作してもよいし、予め登録されている場合は、その登録画面から所望の電話番号を選択してもよい。
【０１９１】
このように通話相手先として所望する通信装置（他の通信装置１５）の電話番号を入力すると、該電話番号は表示部１０において表示された状態となる（Ｓ４３）。
【０１９２】
次に、携帯通信装置１の利用者は、操作部１１を操作して「音声の補正処理」の実行を指示する（Ｓ４４）。
【０１９３】
すなわち、上記利用者が自身の発声の明瞭性に自身がない場合、マイク８から入力された音声に対する補正処理を指示する。
【０１９４】
一方、通信を確立する他の通信装置１５の利用者の発声が明瞭でないと予め分かっている場合、他の通信装置１５から受信した音声に対する補正処理を指示する。
【０１９５】
このように音声の補正処理を指示した状態で、携帯通信装置１の利用者は、操作部１１として発信キーを押下して他の通信装置１５との通信を確立させ、通話を実行する（Ｓ４５）。
【０１９６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１９７】
最後に、携帯通信装置１の各ブロック、特に主制御部１４は、ハードウェアロジックによって構成してもよいし、次のようにＣＰＵを用いてソフトウェアによって実現してもよい。
【０１９８】
すなわち、携帯通信装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【０１９９】
そして、本発明の目的は、上述した機能を実現するソフトウェアである携帯通信装置１の制御プログラムのプログラムコード（実行形式プログラム、中間コードプログラム、ソースプログラム）をコンピュータで読み取り可能に記録した記録媒体を、上記携帯通信装置１に供給し、そのコンピュータ（またはＣＰＵやＭＰＵ）が記録媒体に記録されているプログラムコードを読み出し実行することによっても、達成可能である。
【０２００】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０１】
また、携帯通信装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２０２】
本発明に係る通信装置は、当該通信装置に入力された音声データを第３者が識別可能な出力形式となるデータに変換し出力することができる。それゆえ、入力された音声データに発話者の発話特性等の固体差が含まれる場合に広く適用できる。
【図面の簡単な説明】
【０２０３】
【図１】本発明の実施形態を示すものであり、携帯通信装置の要部構成を示すブロック図である。
【図２】本発明の実施形態を示すものであり、通話システムの概略構成を示すブロック図である。
【図３】本発明の実施形態を示すものであり、携帯通信装置のハードウェア構成を示す図である。
【図４】本発明の実施形態を示すものであり、携帯通信装置における音声の補正処理の一例を示すフローチャートである。
【図５】本発明の実施形態を示すものであり、携帯通信装置における他の音声の補正処理の一例を示すフローチャートである。
【図６】本発明の実施形態を示すものであり、携帯通信装置における音声の記録処理の一例を示すフローチャートである。
【図７】本発明の実施形態を示すものであり、携帯通信装置の通話の実行時における処理の一例を示すフローチャートである。
【符号の説明】
【０２０４】
１    携帯通信装置（通信装置）
５    通信制御部（送信部）
６    信号処理部（送信部・再生部）
７    表示制御部（表示部）
８    マイク
９    スピーカ（再生部）
１０    表示部（表示部）
１１  操作部（受け付け部・送信指示受け付け部）
１３  第２メモリ
１４  主制御部
１５  他の通信装置
２１  受信制御部（判定手段）
２２  音声解析部（音声データ特定手段）
２３  音声認識部（音声データ特定手段）
２４  音声合成部（変換手段）
２５  送信制御部（出力手段）
２６  テキスト変換部（変換手段）
２７  記録部（記録手段）
２８  読み出し部（読み出し手段）
３３  テキスト変換情報
３４  記録情報（文字データ）
３５  音声データベース
４１  音声認識情報記憶装置
４２  テキスト変換情報記憶装置
４３  記録情報記憶装置（文字データ記憶装置）
４４  音声合成情報記憶装置
１００  通話システム
【図１】
2008164649.tif 000003
【図２】
2008164649.tif 000004
【図３】
2008164649.tif 000005
【図４】
2008164649.tif 000006
【図５】
2008164649.tif 000007
【図６】
2008164649.tif 000008
【図７】
2008164649.tif 000009